(57)【特許請求の範囲】
【請求項１】
箱形の巣箱を保持する保持台であって、
底面部が頂面部より広い略断面梯形状の中空箱体からなっており、
上記頂面部に内部中空と連通して巣箱を嵌合する開口部を有してなることを特徴とする巣箱用保持台。
【請求項２】
保持台が、略截頭角錐形状の箱体からなっており、側壁面に把持部が形成されていることを特徴とする請求項１に記載の巣箱用保持台。
【請求項３】
保持台が、開口部の縁部に沿って垂下する内壁片を有していることを特徴とする請求項１に記載の巣箱用保持台。
【請求項４】
保持台が、中央に矩形状で山折りする第１折曲線を介して形成される開口部と、
上記第１折曲線で囲まれた部分を対角線に沿って切断されて開口部の四辺に沿って折り曲げられる内壁片と、
上記第１折曲線の外側で相似形の矩形状となって山折りされる第２折曲線で形成される頂壁部と、
上記第２折曲線の各辺に沿うと共に第２折曲線の各角部から斜め外方に延びて山折りされる一対の第３折曲線で囲まれて略梯形状となる側壁片部と、
隣接する側壁片部の間で第３折曲線で囲まれ中央に谷折りされる第４折曲線を有する内折片と、
前記側壁片部の外側の辺に沿って山折りする第５折曲線で形成される矩形または梯形状の底壁片とからなることを特徴とする請求項１から３に記載のいずれかの巣箱用保持台。
【請求項５】
下部に給餌用タンクを設け上部に蜂などの昆虫を収納した箱形の巣箱と、該巣箱を嵌め込んで保持する保持台とからなる運搬用巣箱であって、
保持台が、底面部が頂面部より広い略断面梯形状の中空箱体からなっており、
上記頂面部に内部中空と連通して巣箱を嵌合する開口部を有してなることを特徴とする運搬用巣箱。
【発明の詳細な説明】
【０００１】
【発明の属する技術分野】
この発明は、巣箱を安定して運搬できるようにした巣箱用保持台および運搬用巣箱に関する。
【０００２】
【従来の技術】
マルハナバチなどの受粉媒介用の蜂の巣箱として、下部に給餌用タンクとしての砂糖水タンクを設け、上部に女王蜂や働き蜂、卵や幼虫を入れた収納室を設けた構造が知られている。
この巣箱を運搬する場合には、運搬中も蜂に給餌する必要があるので前記砂糖水タンクの給餌口は開いたままの状態となっている。
そのため巣箱が、揺れたり傾いたりして砂糖水がタンクから蜂の収納室へ漏れると、運送中に収納室が汚染されて蜂が死滅してしまう虞れがあり、運送には手間がかかっていた。
この問題点は蜂の巣箱に限らず、その他の昆虫の巣箱においても同様であり、この種の技術分野において解決が待たれていた。
【０００３】
【発明が解決しようとする課題】
この発明は上記事情に鑑みて鋭意研究の結果創案されたものであって、その主たる課題は、巣箱を嵌め込んで安定性を高めた巣箱保持台を提供することにある。
この発明の別の課題は、運送中に揺れたり傾いたりしないように安定させることができる運搬用巣箱を提供することにある。
【０００４】
【課題を解決するための手段】
前記課題を達成するために、請求項１の巣箱保持台の発明では、
箱形の巣箱を保持する保持台であって、
底面部が頂面部より広い略断面梯形状の中空箱体からなっており、
上記頂面部に内部中空と連通して巣箱を嵌合する開口部を有してなる、という技術的手段を講じている。
請求項２の発明では、
前記保持台が、略截頭角錐形状の箱体からなっており、側壁面に把持部が形成されている、という技術的手段を講じている。
また、請求項３の発明では、
前記保持台が、開口部の縁部に沿って垂下する内壁片を有している、という技術的手段を講じている。
【０００５】
請求項４の発明では、
前記保持台が、中央に矩形状で山折りする第１折曲線を介して形成される開口部と、上記第１折曲線で囲まれた部分を対角線に沿って切断されて開口部の四辺に沿って折り曲げられる内壁片と、上記第１折曲線の外側で相似形の矩形状となって山折りされる第２折曲線で形成される頂壁部と、上記第２折曲線の各辺に沿うと共に第２折曲線の各角部から斜め外方に延びて山折りされる一対の第３折曲線で囲まれて略梯形状となる側壁片部と、隣接する側壁片部の間で第３折曲線で囲まれ中央に谷折りされる第４折曲線を有する内折片と、前記側壁片部の外側の辺に沿って山折りする第５折曲線で形成される矩形または梯形状の底壁片とからなる、という技術的手段を講じている。
【０００６】
請求項５の運搬用巣箱の発明では、
下部に給餌用タンクを設け上部に蜂を収納した箱形の巣箱と、該巣箱を嵌め込んで保持する保持台とからなる運搬用巣箱であって、
保持台が、底面部が頂面部より広い略断面梯形状の中空箱体からなっており、上記頂面部に内部中空と連通して巣箱を嵌合する開口部を有してなる、という技術的手段を講じている。
【０００７】
【発明の実施の形態】
以下に、この発明の巣箱用保持台およびこれを用いた運搬用巣箱の好適実施例について図面を参照しながら説明する。
図１から図３に示す巣箱用保持台１０は、底面部４が頂面部２より広く設定されており、側壁部３が傾斜して略断面梯形状となる截頭角錐形状の中空箱体からなっている。
【０００８】
上記頂面部２には、内部中空と連通する開口部５が形成されており、該開口部５に巣箱２０を嵌合して保持している。
また、前記側壁部３には把持部となる把持用穴６が穿設されており、巣箱用保持台１０を介して巣箱２０を持ち上げたり移動したりできるようになっている。
そして、本実施例では、上記保持台１０の開口部５には、その四辺の縁部に沿ってそれぞれ垂下する内壁片７が設けられており、嵌合した巣箱２０の移動や揺動を規制している。
【０００９】
この保持台１０の展開図を図３に、折曲状態を図１および図２に示す。
即ち、保持台１０は、１枚の段ボールからなっており、中央に矩形状で山折りする第１折曲線Ｌ１が形成されており、該第１折曲線Ｌ１に沿ってその内側が開口部５として形成される。
【００１０】
上記第１折曲線Ｌ１で囲まれた部分は、その対角線に沿って切断されており、開口部５の四辺に沿って折り曲げられる内壁片７が形成されている。
従って、内壁片７を第１折曲線Ｌ１で折り曲げることにより、前記第１折曲線Ｌ１に沿って開口部５が形成され、内壁片７が垂下して開口部５と連通する内部空間を仕切り、巣箱収納空間Ｓを形成している（図２参照）。
【００１１】
次に、上記第１折曲線Ｌ１の外側には相似形で矩形状となって山折りされる第２折曲線Ｌ２が形成されている。
そして、第１折曲線Ｌ１と第２折曲線Ｌ２との間に形成された枠状の平坦部が頂面となる頂壁部１２を形成する。
【００１２】
上記第２折曲線Ｌ２の各辺の角部には、各角部から上記各辺毎に左右一対に設けられて斜め外方に延び山折りされる第３折曲線Ｌ３が形成されている。
そして、上記頂壁部１２と連接し、上記第２折曲線Ｌ２の各辺に沿うと共に、上記一対の第３折曲線Ｌ３で囲まれて略梯形状となって側壁部３を構成する側壁片部１３が形成される。
【００１３】
また、隣接する上記側壁片部１３の間には、第３折曲線Ｌ３で囲まれ中央に谷折りされる第４折曲線Ｌ４を有する内折片１４が形成されている。
この内折片１４は、第４折曲線Ｌ４を介して２つ折りされて保持台１のコーナー部分を補強すると共に、４つの側壁片部１３が周方向に接して側壁部３が形成されるようになっている。
【００１４】
この側壁片部１３には、それぞれ把持用穴６が穿設されている。
また、上記側壁片部１３には、その外側の辺に沿って山折りする第５折曲線Ｌ５を介して矩形または梯形状に延びる底壁片１５が４つ連設されており、保持台１０の底面に折り返され、縦横を交互に重ねて掛止めて底面部４を構成しており、前記巣箱収納空間Ｓの底部となっている。
【００１５】
次に、巣箱２０は、本実施例では公知のナチュポール（商標名）（製造元  オランダ・コパート社）を用いている。
この巣箱２０は、図１及び２で明瞭なように、直方体のボックス形状からなっており、箱本体２１とセパレート式の上蓋２２とからなっている。
箱本体２１は、下部に給餌用タンクとしての砂糖水タンク２３を内蔵している。
【００１６】
また、箱本体２１の中途位置には上下に区画する仕切壁２４が形成されており、その上部には女王蜂や働き蜂、卵や幼虫を入れた収納室２５が形成されている。
そして、上記仕切壁２４には、前記砂糖水タンク２３と連通する給餌口２６が突設されている。
また、上記収納室２５内には図示しないが、砂糖水を含浸させる綿が入っている。
【００１７】
この収納室２５は上面にメッシュ式内蓋２７が嵌合しており、また側方には、蜂の出入口を設けたスライド式飛行口２８（図１参照）が形成されている。
また箱本体２１や上蓋２２には通気孔２９が形成されており、収納室２５の通気性を保っている。
【００１８】
この巣箱２０を、巣箱保持台１０の開口部５から挿入し、巣箱収納空間Ｓに嵌込む。
これにより、巣箱保持台１に巣箱２０が着脱可能に嵌込まれ保持されて、図４に示すように運搬用巣箱１となるので、巣箱保持台１０の把持用穴６を持って運ぶことができる。
また、運搬用巣箱１の運搬中においては、巣箱保持台１０の底部が幅広く設定されているので、巣箱２０が揺動したり傾いたりすることがなく、安定した姿勢を維持することができる。
【００１９】
この発明は、前記実施例に限定されるものではなく、用途に沿って任意に設計変更をすることができる。
巣箱の構造は上記実施例に限定されるものではない。
また、巣箱保持台は、内壁片を設けず、底部に巣箱底部を嵌合する凹部を形成し、あるいは巣箱の中途位置で巣箱を嵌挿する保持プレートを介設するなどの構造としてもよい。
【００２０】
また、巣箱保持台の底面は、底壁片を交互に掛止めて水平姿勢を保持するものであると、あるいは継ぎ目を接着テープでつなぐなどして一体に形成するものでもよい。
更に、上記実施例では蜂用の巣箱を例示したが、この発明では蜂に限定されずその他の昆虫の巣箱や巣箱保持台として適用することができる。
【００２１】
【発明の効果】
この発明は、巣箱を巣箱保持台に嵌め込むだけで巣箱の安定性を図ることができる。
また、巣箱保持台は簡単な構造で廉価に製作できる。
更に、運搬用巣箱として用いることにより、運送中に巣箱が揺れたり傾いたりしないように安定させることができ、極めて有益である。
【図面の簡単な説明】
【図１】この発明の運搬用巣箱の実施例の取付状態を示す斜視図である。
【図２】同断面図である。
【図３】運搬用巣箱の展開図である。
【図４】同運搬用巣箱の斜視図である。
【符号の説明】
１        運搬用巣箱
２        頂面部
３        側壁部
４        底面部
５        開口部
６        把持用穴
７        内壁片
１０        巣箱用保持台
１２        頂壁部
１３        側壁片部
１４        内折片
１５        底壁片
２０        巣箱
２１        箱本体
２２        上蓋
２３        給餌用タンク
２４        仕切壁
２５        収納室
２６        給餌口
２７        メッシュ式内蓋
２８        スライド式飛行口
２９        通気孔
【図１】
0003814643.tif 000002
【図２】
0003814643.tif 000003
【図３】
0003814643.tif 000004
【図４】
0003814643.tif 000005